(57)【要約】【課題】基板が外部に直接露出することを防止すると共に、光漏れ現象を防止できるようにしたディスプレイパネル及びそれを含むディスプレイ装置を提供する。【解決手段】本発明に係るディスプレイパネルは、下部基板と、前記下部基板と対向して貼り合わされた上部基板と、前記上部基板の面積よりも広い面積を有するように前記上部基板の上面全体に付着された上部偏光フィルムと、前記下部基板及び上部基板の側面を覆うパネル保護部材と、を含み、前記上部偏光フィルムの縁部は、前記上部基板の側面と前記パネル保護部材に重畳されたことを特徴とする。【選択図】図３
2014142612.tif 000002
【特許請求の範囲】
【請求項１】
画像を表示するために互いに結合された下部基板及び上部基板と、
前記上部基板の上面に付着された光学フィルムと、
前記下部基板及び上部基板の側面を覆うパネル保護部材と、を含み、
前記光学フィルムの少なくとも一側面は、前記上部基板の少なくとも一側面よりも長く延長されたことを特徴とする、ディスプレイパネル。
【請求項２】
前記パネル保護部材の一部分は、前記延長された光学フィルムの少なくとも一側面の下に配置され、前記上部基板の側面及び前記下部基板の側面に接触されたことを特徴とする、請求項１に記載のディスプレイパネル。
【請求項３】
前記延長された光学フィルムの少なくとも一側面は、前記上部基板の少なくとも一側面から第１幅だけ延長され、
前記パネル保護部材は、前記第１幅よりも広い第２幅を有するように形成されて、前記下部基板の側面と前記上部基板の側面及び前記延長された光学フィルムの少なくとも一側面の下面に接着されたことを特徴とする、請求項１に記載のディスプレイパネル。
【請求項４】
前記第１幅は、前記上部基板の側面から２５０μm乃至３５０μmであることを特徴とする、請求項３に記載のディスプレイパネル。
【請求項５】
前記第２幅は、前記上部基板の側面から３９０μm乃至４３０μmであることを特徴とする、請求項３に記載のディスプレイパネル。
【請求項６】
前記上部基板の上面と前記パネル保護部材の上面とは互いに同一平面に位置することを特徴とする、請求項１に記載のディスプレイパネル。
【請求項７】
前記上部基板の上面と、前記上部基板の上面から直接的に延長された前記上部基板の側面とは互いに直角をなすことを特徴とする、請求項１に記載のディスプレイパネル。
【請求項８】
前記光学フィルムの上面に付着された３次元映像用光学部材をさらに含んで構成されることを特徴とする、請求項１に記載のディスプレイパネル。
【請求項９】
前記パネル保護部材は、有色樹脂または光遮断樹脂からなる光硬化性シール剤によって形成されたことを特徴とする、請求項１に記載のディスプレイパネル。
【請求項１０】
請求項１ないし請求項９のいずれか１項に記載されたディスプレイパネルと、
前記ディスプレイパネルの下面縁部を支持するガイドパネルと、
前記ガイドパネルと前記ディスプレイパネルとを結合させるパネル結合部材と、
前記ガイドパネルを収納する背面カバーと、を含んで構成されることを特徴とする、ディスプレイ装置。
【請求項１１】
前記背面カバーは、前記ディスプレイパネルの側面を取り囲まないことを特徴とする、請求項１０に記載のディスプレイ装置。
【請求項１２】
前記ディスプレイパネルの側面及び上面縁部を取り囲む保護パッド部材をさらに含んで構成されることを特徴とする、請求項１０に記載のディスプレイ装置。
【請求項１３】
前記背面カバーは、前記パネル保護部材の側面を取り囲むことを特徴とする、請求項１０に記載のディスプレイ装置。
【発明の詳細な説明】
【技術分野】
【０００１】
本発明は、ディスプレイ装置に係り、より具体的には、基板が外部に直接露出することを防止すると共に、光漏れ現象を防止することを可能にするディスプレイパネル及びそれを含むディスプレイ装置に関する。
【背景技術】
【０００２】
初期のディスプレイ装置である陰極線管（Ｃａｔｈｏｄｅ  Ｒａｙ  Ｔｕｂｅ）を代替するディスプレイ装置として、液晶表示装置（Ｌｉｑｕｉｄ  Ｃｒｙｓｔａｌ  Ｄｉｓｐｌａｙ  Ｄｅｖｉｃｅ）、プラズマディスプレイパネル（Ｐｌａｓｍａ  Ｄｉｓｐｌａｙ  Ｐａｎｅｌ）、及び有機発光表示装置（Ｏｒｇａｎｉｃ  Ｌｉｇｈｔ  Ｅｍｉｔｔｉｎｇ  Ｄｉｓｐｌａｙ  Ｄｅｖｉｃｅ）などが開発されている。
【０００３】
このようなディスプレイ装置は、重さと体積を減らすことによって装置の大型化を可能にしてきた。また、応答速度や画質などの技術的な面での研究開発と共に、需要者にアピールできる製品のデザイン的な面での研究開発が行われている。
【０００４】
しかし、現在まで開発された従来のディスプレイ装置は、その構造的特性によって、厚さの最小化及び美感向上の面において限界がある。
【０００５】
一方、本出願人によって提案された特許文献１では、上部ケースと前面セットカバーを省略して、ディスプレイパネルの前面及び側面をディスプレイ装置の外部に露出させることによって、厚さが最小化され、デザイン的な面において美感が向上したディスプレイ装置が開示されている。
【０００６】
図１は、特許文献１に開示されたディスプレイ装置のディスプレイパネルを説明するための断面図である。
【０００７】
図１を参照すると、特許文献１に開示されたディスプレイ装置のディスプレイパネルは、下部基板１２と、下部基板１２に対向して貼り合わされた上部基板１４と、上部基板１４の上面に付着されたフィルム部材１６と、貼り合わされた下部基板１２及び上部基板１４の側面に形成されたパネル保護部材２０と、を備える。
【０００８】
貼り合わされた下部基板１２及び上部基板１４のエッジ部、すなわち、各側面には面取り（Ｃｈａｍｆｅｒ）加工工程によって所定の角度に傾斜した傾斜面ＣＦが形成されている。
【０００９】
フィルム部材１６の各側面端部は、上部基板１４の傾斜面ＣＦから一定間隔Ｄだけ離隔している。
【００１０】
パネル保護部材２０は、外部に露出されるディスプレイパネルの損傷を防止するために、下部基板１２及び上部基板１４のエッジ部を覆うように形成される。
【００１１】
このような特許文献１のディスプレイ装置は、次のような問題点がある。
【００１２】
第一に、フィルム部材１６の端部が上部基板１４の傾斜面ＣＦから一定間隔Ｄで離隔して付着され、上部ケースが省略されるため、ディスプレイパネルを正面から見るとき、フィルム部材１６の端部と上部基板１４の傾斜面ＣＦとの間の上部基板１４の領域が直線形状に視認され得るという問題点がある。
【００１３】
第二に、パネル保護部材２０が、上部基板１４と下部基板１２及びフィルム部材１６のそれぞれの傾斜面ＣＦを覆うように均一な厚さに形成されず、ディスプレイパネルの正面から見るとき、直線形状に形成されない場合、これによって、外観上の美感が損なわれるだけでなく、部分的に光漏れ現象が発生するという問題点がある。すなわち、下部基板１２及び上部基板１４の各側面に形成される傾斜面ＣＦには、面取り加工工程によってバリが形成され、パネル保護部材２０が傾斜面ＣＦを完全に覆わないように形成される場合、下部基板１２の内部反射によって、流入される反射光ＲＬが傾斜面ＣＦで乱反射され、乱反射された光ＳＲＬのうち、上部基板１４に形成されたブラックマトリクスＢＭに遮光されない乱反射光ＳＲＬが傾斜面ＣＦを通じて外部に漏れるようになる。特に、特許文献１のディスプレイ装置では、上部ケースが省略され、傾斜面ＣＦが外部に露出するため、図２に示されたように、傾斜面ＣＦでの乱反射光ＳＲＬによる光漏れ現象が発生するという問題点がある。
【先行技術文献】
【特許文献】
【００１４】
【特許文献１】大韓民国特許公開公報第１０−２０１２−０１２３７６７号
【発明の概要】
【発明が解決しようとする課題】
【００１５】
本発明は、前述した問題点を解決するために案出されたもので、基板が外部に直接露出することを防止すると共に、光漏れ現象を防止できるようにしたディスプレイパネル及びそれを含むディスプレイ装置を提供することを技術的課題とする。
【課題を解決するための手段】
【００１６】
前述した技術的課題を達成するための本発明に係るディスプレイパネルは、下部基板と、前記下部基板と対向して貼り合わされた上部基板と、前記上部基板の面積よりも広い面積を有するように前記上部基板の上面全体に付着された上部偏光フィルムと、前記下部基板及び上部基板の側面を覆うパネル保護部材と、を含み、前記上部偏光フィルムの縁部は、前記上部基板の側面と前記パネル保護部材に重畳されたことを特徴とする。
【００１７】
前記上部偏光フィルムの縁部は、前記上部基板の側面から第１幅だけ突出し、前記パネル保護部材は、前記第１幅よりも広い第２幅を有するように形成されて、前記下部基板の側面と前記上部基板の側面及び前記突出した上部偏光フィルムの下面に接着されるように形成されたことを特徴とする。
【００１８】
前述した技術的課題を達成するための本発明に係るディスプレイ装置は、前記ディスプレイパネルと、前記ディスプレイパネルの下面縁部を支持するガイドパネルと、前記ガイドパネルと前記ディスプレイパネルとを結合させるパネル結合部材と、前記ガイドパネルを収納する背面カバーと、を含んで構成されることを特徴とする。
【００１９】
前記ディスプレイ装置は、前記ディスプレイパネルの側面と、前記ディスプレイパネルの上面縁部とを取り囲む保護パッド部材をさらに含んで構成されることを特徴とする。
【発明の効果】
【００２０】
上記課題を解決するための手段によれば、本発明に係るディスプレイパネル及びディスプレイ装置は、次のような効果がある。
【００２１】
第一に、貼り合わされた下部基板及び上部基板の側面に傾斜面を形成する面取り工程を省略し、下部基板及び上部基板の側面にパネル保護部材を形成することによって、下部基板及び上部基板の側面で発生する乱反射による光漏れ現象を防止することができる。
【００２２】
第二に、上部偏光フィルムが上部基板よりも大きいため、上部変更フィルムによって上部基板及び下部基板の側面端を十分に覆うことができ、上部基板が外部に直接露出することを防止することができるという効果がある。
【図面の簡単な説明】
【００２３】
【図１】特許文献１に開示されたディスプレイ装置を説明するための断面図である。
【図２】図１に示された上部基板の傾斜面で発生する乱反射による光漏れを示す写真である。
【図３】本発明の第１実施例に係るディスプレイパネルを説明するための断面図である。
【図４】本発明の第２実施例に係るディスプレイパネルを説明するための断面図である。
【図５Ａ】本発明の第１実施例に係る液晶表示パネルの製造方法を説明するための第一図である。
【図５Ｂ】本発明の第１実施例に係る液晶表示パネルの製造方法を説明するための第二図である。
【図５Ｃ】本発明の第１実施例に係る液晶表示パネルの製造方法を説明するための第三図である。
【図５Ｄ】本発明の第１実施例に係る液晶表示パネルの製造方法を説明するための第四図である。
【図６】ノートパソコンに適用された本発明の第１実施例に係るディスプレイ装置を説明するための図である。
【図７】図６に示されたＡ−Ａ線の断面を示すディスプレイ装置の断面図である。
【図８】テレビジョンまたはコンピュータ用モニタに適用された本発明の第２実施例に係るディスプレイ装置を説明するための図である。
【図９】図８に示されたＢ−Ｂ線の断面を示すディスプレイ装置の断面図である。
【図１０】図９に示されたディスプレイ装置の変形例を説明するための図である。
【発明を実施するための形態】
【００２４】
本明細書で述べられる用語の意味は、次のように理解されるべきである。
【００２５】
単数の表現は、文脈上明らかに他の意味として定義しない限り、複数の表現を含むものと理解しなければならず、「第１」、「第２」などの用語は、一つの構成要素を他の構成要素から区別するためのもので、これら用語によって権利範囲が限定されてはならない。
【００２６】
「含む」または「有する」などの用語は、一つまたはそれ以上の他の特徴や数字、段階、動作、構成要素、部品、又はこれらを組み合わせたものの存在または付加可能性をあらかじめ排除しないものと理解しなければならない。
【００２７】
「少なくとも一つ」という用語は、一つ以上の関連項目から提示可能な全ての組み合わせを含むものと理解しなければならない。例えば、「第１項目、第２項目、及び第３項目のうち少なくとも一つ」の意味は、第１項目、第２項目、または第３項目のそれぞれだけでなく、第１項目、第２項目、及び第３項目のうち二つ以上から提示できる全ての項目の組み合わせを意味する。
【００２８】
「上に」という用語は、ある構成が他の構成の上面に形成される場合だけでなく、これら構成の間に第３の構成が介在される場合まで含むことを意味する。
【００２９】
以下では、本発明に係るディスプレイパネル及びそれを含むディスプレイ装置の好適な実施例を、添付の図面を参照して詳細に説明する。ここで、本発明に係るディスプレイパネル及びそれを含むディスプレイ装置は、液晶ディスプレイパネル及び装置、プラズマディスプレイパネル及び装置、有機発光ディスプレイパネル及び装置、電気泳動ディスプレイパネル及び装置、及び電子湿潤ディスプレイパネル及び装置などに限定されず、様々なディスプレイパネル及びディスプレイ装置であってもよい。
【００３０】
図３は、本発明の第１実施例に係るディスプレイパネルを説明するための断面図である。
【００３１】
図３を参照すると、本発明の第１実施例に係るディスプレイパネル１１０は、下部基板１１１と、液晶層（図示せず）を挟んで下部基板１１１に対向して貼り合わされた上部基板１１３と、上部基板１１３の面積よりも広い面積を有するように形成され、前記上部基板１１３の上面全体に付着された上部偏光フィルム１１７と、下部基板１１１及び上部基板１１３の側面を覆うように形成され、上面の一部が上部偏光フィルム１１７によって覆われるパネル保護部材１１９と、を含む。
【００３２】
前記下部基板１１１は、薄膜トランジスタアレイ基板であって、表示領域及び非表示領域を有する。前記下部基板１１１の表示領域には、複数のゲートライン（図示せず）と複数のデータライン（図示せず）との交差によって設けられる画素領域毎に複数の画素（図示せず）が形成されている。前記各画素は、ゲートラインとデータラインに接続された薄膜トランジスタ（図示せず）、薄膜トランジスタに接続された画素電極、及び画素電極に隣接するように形成されて、共通電圧が供給される共通電極を含んで構成することができる。このとき、共通電極は、液晶層の駆動方式に応じて、上部基板１１３に形成されてもよい。
【００３３】
前記下部基板１１１の非表示領域は、複数のパッド部（図示せず）、及びゲート駆動回路（図示せず）を含んでなる。
【００３４】
前記複数のパッド部のそれぞれは、下部基板１１１の下側長辺の非表示領域に形成されて、表示領域に形成された各データラインに接続される。このような前記複数のパッド部のそれぞれには、データ駆動部（図示せず）を含むパネル駆動部（図示せず）が接続される。
【００３５】
前記ゲート駆動回路は、各画素の薄膜トランジスタの製造工程と共に、短辺片側または両側の非表示領域に形成されて、表示領域に形成された各ゲートラインに接続される。このような前記ゲート駆動回路は、パネル駆動部から入力されるゲート制御信号に基づいてゲート（またはスキャン）信号を生成して、各ゲートラインに順次供給する。
【００３６】
前記下部基板１１１の下面には下部偏光フィルム１１５が付着されており、下部偏光フィルム１１５は、バックライトユニット（図示せず）から下部基板１１１に照射される光を偏光させる。例えば、下部偏光フィルム１１５は、光学シートまたは光学フィルムであってもよい。
【００３７】
前記上部基板１１３は、カラーフィルタアレイ基板であって、前記下部基板１１１の各画素領域を定義するように形成されたブラックマトリクスＢＭ、及び各画素に対応するように画素領域に形成されたカラーフィルタ層を含むように構成される。このとき、前記上部基板１１３には、液晶層の駆動方式に応じて、共通電圧が供給される共通電極が形成され得る。
【００３８】
前記上部基板１１３は、液晶層（図示せず）を挟んで下部基板１１１に対向して貼り合わされる。すなわち、貼り合わされた下部基板１１１と上部基板１１３は、基板の切断／分離工程によって、貼り合わされた上部及び下部大型基板（図示せず）から切断されて分離されるもので、分離された下部基板１１１及び上部基板１１３の側面（または切断／分離面）には、前記基板の切断／分離工程によってバリが必然的に形成されるようになる。
【００３９】
前記上部偏光フィルム１１７は、下部基板１１１の表示領域と上部基板１１３を透過して外部に放出される映像光を偏光させると共に、下部基板１１１及び上部基板１１３の側面ＳＦで発生する乱反射が外部で視認されないようにする。そのために、前記上部偏光フィルム１１７は、パネル保護部材１１９の側面外部に突出しないように、上部基板１１３の面積よりも広い面積を有するように形成されて、上部基板１１３の上面全体及びパネル保護部材１１９の上面を覆うように、上部基板１１３及びパネル保護部材１１９の上面に付着される。このような上部偏光フィルム１１７は、光学シートまたは光学フィルムであってもよい。
【００４０】
前記上部偏光フィルム１１７は、ローラを用いたフィルム付着工程によって、上部基板１１３よりも相対的に広い面積を有するように前記上部基板１１３の上面全体に付着した後、レーザーカット工程によって、上部基板１１３の側面ＳＦから側面外部方向に第１幅Ｗ１だけ突出するようにカットすることができる。すなわち、前記上部基板１１３の上面全体に付着された上部偏光フィルム１１７の下側は、隣接した下部基板１１１に形成されたパッド部に重畳されない反面、上部偏光フィルム１１７の上側と左側及び右側のそれぞれは、上部基板１１３の上側面と左側面及び右側面のそれぞれから第１幅Ｗ１よりも相対的にさらに大きい幅だけ突出された後、レーザーカット工程によって、上部基板１１３の上側面と左側面及び右側面のそれぞれから前記第１幅Ｗ１だけ突出するようにカットすることができる。ここで、前記第１幅Ｗ１は、上部基板１１３の側面ＳＦから２５０μm乃至３５０μmの範囲で設定されることが好ましい。この場合、前記第１幅Ｗ１が２５０μm未満の場合、後述するパネル保護部材１１９との接着面積が低下して剥離されることがあり、前記第１幅Ｗ１が３５０μmを超える場合、パネル保護部材１１９との接着面積を増加させることはできるが、ディスプレイパネル１１０のベゼルの幅が増加することがあり、パネル保護部材１１９の幅及び塗布量を増加させるようになる。
【００４１】
前記パネル保護部材１１９は、下部基板１１１及び上部基板１１３の側面全体を覆うように形成されることによって、下部基板１１１及び上部基板１１３の側面に形成されているバリ（Ｂｕｒｒ）を完全に覆う。このような前記パネル保護部材１１９は、下部基板１１１及び上部基板１１３の側面に形成されているバリ（Ｂｕｒｒ）によって発生する乱反射による光漏れを防止し、外部の衝撃による下部基板１１１及び上部基板１１３の側面の損傷を防止すると共に、外部の静電気が下部基板１１１の内部に流入することを遮断する役割を果たす。
【００４２】
具体的に、前記パネル保護部材１１９は、上部基板１１３の側面から第１幅Ｗ１だけ突出した上部偏光フィルム１１７の下面に重畳すると共に、下部基板１１１及び上部基板１１３の上側面と左側面及び右側面を覆うように形成される。これによって、下部基板１１１及び上部基板１１３の側面と前記パネル保護部材１１９との間の接着部（または境界部）、及びパネル保護部材１１９の一部分は、上部偏光フィルム１１７によって覆われることになり、前記接着部と上部基板１１３が上部偏光フィルム１１７の前方で視認されない。
【００４３】
前記パネル保護部材１１９は、貼り合わされた下部基板１１１及び上部基板１１３の側面ＳＦから３００μm乃至５００μmの範囲、より好ましくは、３９０μm乃至４３０μmの範囲の第２幅Ｗ２を有するように形成されることが好ましい。ここで、前記パネル保護部材１１９の第２幅Ｗ２が３９０μm未満の場合、前記側面の光漏れ及び静電気流入遮断の効果が低減することがあり、４３０μmを超える場合、前記側面の光漏れ及び静電気流入遮断の効果は増加するが、ディスプレイパネル１１０のベゼルの幅が増加し、材料を浪費する原因となりうる。
【００４４】
一方、前記パネル保護部材１１９は、下部基板１１１の上側長辺と左側短辺及び右側短辺のそれぞれの下面縁部１１９ａにさらに形成されてもよい。この場合、前記パネル保護部材１１９は、下部基板１１１の側面ＳＦから０μm乃至２５０μmの範囲の第３幅Ｗ３を有するように形成されることが好ましい。ここで、前記パネル保護部材１１９の第３幅Ｗ３が２５０μmを超える場合、前記パネル保護部材１１９の全体的な厚さ及び幅が増加し、これによって、パネル保護部材１１９を所望の形状に形成することが困難になる。
【００４５】
前記パネル保護部材１１９は、シリコン系列または紫外線（ＵＶ）硬化系列のシール剤（または樹脂）から構成することができるが、工程のタックタイム（Ｔａｃｋ  Ｔｉｍｅ）を考慮すると、紫外線（ＵＶ）硬化系列のシール剤からなることが好ましい。また、前記パネル保護部材１１９は、有色（例えば、青色、赤色、青緑色、または黒色）であってもよいが、これに限定されず、側面の光漏れを防止するための有色樹脂または光遮断樹脂からなることが好ましい。
【００４６】
以上のような本発明の第１実施例に係るディスプレイパネル１１０は、貼り合わされた下部基板１１１及び上部基板１１３の側面に傾斜面を形成する面取り工程を省略して、下部基板１１１及び上部基板１１３の側面で発生する乱反射領域を最小化し、上部偏光フィルム１１７とパネル保護部材１１９を用いて下部基板１１１及び上部基板１１３の側面を完全に覆うことによって、下部基板１１１及び上部基板１１３の側面で発生する乱反射による光漏れ現象、及び上部基板１１３が外部に直接露出することを防止することができる。
【００４７】
図４は、本発明の第２実施例に係るディスプレイパネルを説明するための断面図であって、これは、３次元映像用光学部材をさらに具備するものである。以下では、３次元映像用光学部材についてのみ説明する。
【００４８】
前記３次元映像用光学部材１１８は、前記パネル保護部材に重畳するように上部偏光フィルム１１７の上面全体に形成されて、上部偏光フィルム１１７を透過する光によって３次元映像を具現する。この場合、ディスプレイパネル１１０には、３次元映像の表示方式に応じて、左眼映像と右眼映像が時間的または空間的に分割されて表示され、３次元映像用光学部材１１８は、前記左眼映像と右眼映像を分離して視聴者に提供する。ここで、３次元映像用光学部材１１８は、偏光方式の３次元映像を視聴者に提供するためのリターダフィルム（Ｒｅｔａｒｄｅｒ  Ｆｉｌｍ）、または眼鏡なし方式の３次元映像を視聴者に提供するためのレンズフィルムからなることができる。
【００４９】
このような前記３次元映像用光学部材１１８は、ローラを用いたフィルム付着工程によって、上部偏光フィルム１１７と同一の面積を有するように前記上部偏光フィルム１１７の上面全体に付着した後、レーザーカット工程によって、上部基板１１３の側面ＳＦから側面外部方向に第１幅Ｗ１だけ突出するように上部偏光フィルム１１７と共にカットすることができる。
【００５０】
図５Ａ乃至図５Ｄは、本発明の第１実施例に係る液晶表示パネルの製造方法を説明するための図であって、これは、前述した図３に示された本発明の第１実施例に係る液晶表示パネルの製造方法に関するものである。
【００５１】
まず、図５Ａに示されたように、貼り合わされた上部及び下部大型基板（図示せず）から基板の切断／分離工程によって切断されることにより分離された下部基板１１１及び上部基板１１３の側面（または切断／分離面）を直角研磨方式で研磨する。すなわち、前記研磨工程では、研磨パッド２００を用いて、貼り合わされた下部基板１１１及び上部基板１１３の側面を研磨することによって、基板の切断／分離工程による大きさの公差を合わせると共に、前記基板の切断／分離工程によって発生したバリを緩和させる。特に、前記研磨工程は、上部基板１１３の上面を基準に下部基板１１１と上部基板１１３のそれぞれの側面が傾斜せずに、直角状態となるようにする。
【００５２】
その後、図５Ｂに示されたように、前記上部基板１１３よりも相対的に広い面積を有する上部偏光フィルム１１７を上部基板１１３の上面全体に付着する。ここで、前記上部偏光フィルム１１７の上側と左側及び右側のそれぞれは、上部基板１１３の上側面と左側面及び右側面のそれぞれから一定の幅だけ側面外部方向に突出するようになる。上述したような上部偏光フィルム１１７は、光学シートまたは光学フィルムであってもよい。
【００５３】
一方、前記上部偏光フィルム１１７の付着工程前または後には、前記下部基板１１１の下面に下部偏光フィルム１１５を付着する工程を行うことができる。
【００５４】
その後、図５Ｃに示されたように、レーザーカット工程を通じて、上部基板１１３に付着された上部偏光フィルム１１７の上側と左側及び右側のそれぞれの端部が、上部基板１１３の側面ＳＦから側面外部方向に第１幅Ｗ１だけ突出するようにカットする。
【００５５】
次に、図５Ｄに示されたように、上部基板１１３の側面ＳＦから突出した上部偏光フィルム１１７の下面と、下部基板１１１及び上部基板１１３の側面全体とにシール剤を塗布し、これと同時に硬化させることによって、上部基板１１３の側面ＳＦから第２幅Ｗ２を有するパネル保護部材１１９を形成する。このとき、前記パネル保護部材１１９は、下部基板１１１及び上部基板１１３の左側面と上側面及び右側面に沿って連続的に動かすことができるシール剤形成手段によって形成されることができ、当該シール剤形成手段は、下部基板１１１及び上部基板１１３の側面全体にシール剤を塗布するため、及び塗布されたシール剤に光を照射するために用いられる。
【００５６】
一方、前記下部偏光フィルム１１５の付着工程は、前記上部偏光フィルム１１７のレーザーカット工程の後、または前記パネル保護部材１１９の形成工程の後に行ってもよい。
【００５７】
一方、前記上部偏光フィルム１１７の付着工程の後に、上部偏光フィルム１１７と同一の面積を有する３次元映像用光学部材１１８（図３参照）を付着する工程をさらに行うことができ、この場合、前記上部偏光フィルム１１７のレーザーカット工程では、前記３次元映像用光学部材１１８と共に上部偏光フィルム１１７を同時にカットすることができる。
【００５８】
以上のような本発明の第１及び第２実施例に係るディスプレイパネル１１０は、ノートパソコンを含む携帯用情報機器、テレビジョン、またはコンピュータモニタなどのディスプレイ装置に含まれて２次元映像または３次元映像を表示することができる。
【００５９】
図６は、ノートパソコンに適用された本発明の第１実施例に係るディスプレイ装置を説明するための図で、図７は、図６に示されたＡ−Ａ線の断面を示すディスプレイ装置の断面図である。
【００６０】
図６及び図７を参照すると、本発明の第１実施例に係るディスプレイ装置４００は、ヒンジ部３００を通じてシステム本体２００に回転可能に結合される。
【００６１】
前記システム本体２００は、各種情報処理のための制御回路、例えば、ＣＰＵ（Ｃｅｎｔｒａｌ  Ｐｒｏｃｅｓｓｉｎｇ  Ｕｎｉｔ）、ＣＰＵの制御によってデータを処理するグラフィックカード、各種格納媒体、及び電源装置などを含んで構成される。このようなシステム本体２００は、各種情報を処理すると共に、所定の情報をディスプレイ装置４００に表示する。
【００６２】
前記ヒンジ部３００は、システム本体２００とディスプレイ装置４００との間に設置され、ディスプレイ装置４００の下側を回転可能に支持する。このとき、ヒンジ部３００とディスプレイ装置４００との間の結合部分は、ヒンジカバー３１０によって覆われる。
【００６３】
前記ディスプレイ装置４００は、ヒンジ部３００に回転可能に設置されて、システム本体２００の上面を覆うか、またはヒンジ部３００を回転軸としてシステム本体２００の上面から所定角度を有するように広がる。このようなディスプレイ装置４００は、システム本体２００から提供される映像信号及びタイミング制御信号に応じて映像信号に相応する映像を表示する。そのために、前記ディスプレイ装置４００は、ディスプレイパネル１１０、バックライトユニット１２０、ボトムカバー１３０、ガイドパネル１４０、パネル結合部材１５０、保護パッド部材１６０、及び背面カバー１７０を含む。
【００６４】
前記ディスプレイパネル１１０は、前述した図３又は図４に示されたディスプレイパネルと同一の構成を有するので、これについての重複説明は省略する。
【００６５】
前記バックライトユニット１２０は、ディスプレイパネル１１０の下部に配置され、ディスプレイパネル１１０に光を照射する。そのために、バックライトユニット１２０は、反射シート１２２、導光板１２４、光源部材（図示せず）、及び光学シート１２６を含んで構成される。
【００６６】
前記反射シート１２２は、導光板１２４の下部に配置されるようにボトムカバー１３０に収納されて、導光板１２４の下面を透過する光をディスプレイパネル１１０側に反射させる。
【００６７】
前記導光板１２４は、少なくとも一つの側面に設けられた少なくとも一つの入光部を有するように平板（またはくさび）状に形成されて、反射シート１２２上に配置される。このような導光板１２４は、光源部材から入光部に入射される光を内部で反射及び屈折させて、ディスプレイパネル１１０の下面方向に進行させる。このとき、前記導光板１２４の下面へ進行する光は、前記反射シート１２２によって反射されてディスプレイパネル１１０側に進行するようになる。
【００６８】
前記光源部材は、導光板１２４の入光部に対向するようにボトムカバー１３０に収納されて、導光板１２４の入光部に光を照射する。そのために、光源部材は、複数の発光ダイオード（Ｌｉｇｈｔ  Ｅｍｉｔｔｉｎｇ  Ｄｉｏｄｅ）を含んで構成することができる。
【００６９】
前記光学シート１２６は、導光板１２４上に配置され、導光板１２４からディスプレイパネル１１０側に進行する光の輝度特性を向上させる。そのために、光学シート１２６は、少なくとも一つの拡散シート及びプリズムシートを含んで構成することができる。
【００７０】
前記ボトムカバー１３０は、バックライトユニット１２０とガイドパネル１４０を収納するための収納空間を有するように箱状に形成される。このような前記ボトムカバー１３０は、バックライトユニット１２０及びガイドパネル１４０を支持するボトムプレートと、ボトムプレートから垂直に折れ曲がった側壁とからなる。ここで、前記ボトムカバー１３０の側壁は、ディスプレイパネル１１０のパネル保護部材１１９の下部に配置されて、ディスプレイパネル１１０の側面とパネル保護部材１１９の側面を取り囲まない。
【００７１】
前記ガイドパネル１４０は、四角帯状に形成され、前記ボトムカバー１３０の収納空間に収納される。このような前記ガイドパネル１４０は、ディスプレイパネル１１０の下面縁部を支持すると共に、前記ボトムカバー１３０の収納空間に収納されたバックライトユニット１２０の位置を定義する。
【００７２】
前記ガイドパネル１４０は、ねじ（Ｓｃｒｅｗ）を用いた背面結合方式または別途のブラケット（図示せず）を用いたスライディング結合方式によって、ボトムカバー１３０のボトムプレートに結合することができる。また、ねじを用いた側面結合方式によって、ボトムカバー１３０の側壁に結合することができる。
【００７３】
前記パネル結合部材１５０は、前記ガイドパネル１４０とディスプレイパネル１１０とを互いに接着させることによって、ディスプレイパネル１１０がガイドパネル１４０によって安定的に支持されるようにする。そのために、前記パネル結合部材１５０は、前記ガイドパネル１４０の上面とディスプレイパネル１１０の下部基板１１１との間に接着されることが好ましい。このような前記パネル結合部材１５０は、両面テープ、熱または光硬化性接着剤からなることができる。
【００７４】
前記保護パッド部材１６０は、両面テープまたは接着剤のような接着部材１６２によってボトムカバー１３０の側面に結合されて、ディスプレイパネル１１０の側面及び上面縁部を取り囲む。具体的には、前記保護パッド部材１６０は、接着部材１６２によってボトムカバー１３０の上側面、左側面、及び右側面に付着されて、上部偏光フィルム１１７の上側、左側、及び右側の上面縁部とディスプレイパネル１１０の側面とを取り囲む。そのために、前記保護パッド部材１６０は、平面的に”∩”字状を、断面的に”┌”字状を有するように形成することができ、シリコンまたはゴムなどのように衝撃を緩衝することができる緩衝材質からなることができる。このような前記保護パッド部材１６０は、ディスプレイ装置４００がシステム本体２００側に折り畳まれる場合に発生する衝撃を緩衝して、ディスプレイパネル１１０の押圧または損傷を防止する役割を果たす。
【００７５】
前記背面カバー１７０は、ボトムカバー１３０のボトムプレートに結合されて、ボトムカバー１３０の背面と保護パッド部材１６０の側面を取り囲む。ここで、前記背面カバー１７０は、両面テープまたは接着剤によってボトムカバー１３０の底面に結合することができる。また、前記背面カバー１７０の下側は、前記ヒンジ部３００と結合され、ヒンジカバー３１０によって覆われる。ここで、前記ヒンジカバー３１０は、前記ヒンジ部３００及び前記ヒンジ部３００に隣接したディスプレイパネル１１０の下側縁部が外部に露出することを防止する。
【００７６】
図８は、テレビジョンまたはコンピュータモニタに適用された本発明の第２実施例に係るディスプレイ装置を説明するための図で、図９は、図８に示されたＢ−Ｂ線の断面を示すディスプレイ装置の断面図である。
【００７７】
図８及び図９を参照すると、本発明の第２実施例に係るディスプレイ装置５００は、ディスプレイパネル１１０、バックライトユニット１２０、ボトムカバー５３０、ガイドパネル５４０、パネル結合部材５５０、背面カバー５６０、及び前面下側カバー５７０を含む。
【００７８】
前記ディスプレイパネル１１０は、前述した図３又は図４に示されたディスプレイパネルと同一の構成を有するので、これについての重複説明は省略する。
【００７９】
前記バックライトユニット１２０は、ディスプレイパネル１１０の下部に配置され、ディスプレイパネル１１０に光を照射する。このようなバックライトユニット１２０は、エッジ型方式または直下型方式により構成することができる。エッジ型方式のバックライトユニット１２０は、反射シート１２２、導光板１２４、光源部材（図示せず）、及び光学シート１２６を含んで構成されるもので、前述した図７に示されたバックライトユニットと同一であるので、これについての重複説明は省略する。そして、直下型方式のバックライトユニット１２０は、拡散板（図示せず）、拡散板の下部に配置された光源部材（図示せず）、及び拡散板上に配置された光学シート（図示せず）を含んで構成することができる。
【００８０】
ボトムカバー５３０は、前記バックライトユニット１２０を収納するための収納空間を有するように箱状に形成される。このような前記ボトムカバー５３０は、バックライトユニット１２０を支持するボトムプレートと、ボトムプレートから垂直に折れ曲がった側壁とからなる。一方、前記ボトムカバー５３０は、ディスプレイ装置のスリム化によって省略することができ、この場合、前記バックライトユニット１２０は背面カバー５６０に収納される。
【００８１】
前記ガイドパネル５４０は、”┌”字状を有するように四角帯状に形成され、前記ボトムカバー５３０に支持される。そのために、前記ガイドパネル５４０は、前記ボトムカバー５３０に支持されて、ディスプレイパネル１１０の下面縁部を支持するパネル支持部５４２と、パネル支持部５４２から垂直に折れ曲がって前記ボトムカバー５３０の側面を取り囲むガイド側壁５４４とからなることができる。ここで、前記ボトムカバー５３０が省略される場合、前記ガイドパネル５４０は背面カバー５６０に収納される。
【００８２】
前記パネル結合部材５５０は、前記ガイドパネル５４０とディスプレイパネル１１０とを互いに接着させることによって、ディスプレイパネル１１０がガイドパネル５４０に安定的に支持されるようにする。そのために、前記パネル結合部材５５０は、前記ガイドパネル５４０のパネル支持部５４２とディスプレイパネル１１０の下部基板１１１との間に接着されることが好ましい。このような前記パネル結合部材５５０は、両面テープ、熱または光硬化性接着剤からなることができる。
【００８３】
前記背面カバー５６０は、収納空間を有するように箱状に形成され、バックライトユニット１２０、ボトムカバー５３０及びガイドパネル５４０を収納する。そのために、前記背面カバー５６０は、カバープレート５６２、及びカバープレート５６２から垂直に折れ曲がったカバー側壁５６４からなることができる。
【００８４】
前記カバープレート５６２は、ボトムカバー５３０のボトムプレートと、ガイドパネル５４０のガイド側壁５４４とを支持する。
【００８５】
前記カバー側壁５６４は、ガイドパネル５４０の側面、すなわち、ガイド側壁５４４を取り囲むと共に、ディスプレイパネル１１０の下面縁部を支持する。ここで、前記カバー側壁５６４の上面は、下部基板１１１の下面縁部またはパネル保護部材１１９に重畳することができ、接着部材５６６を通じて、下部基板１１１の下面縁部及び／又はパネル保護部材１１９に接着されてもよい。
【００８６】
前記カバー側壁５６４とガイド側壁５４４は、フック（Ｈｏｏｋ）またはねじ（Ｓｃｒｅｗ）を用いた側面結合方式により互いに結合することができる。
【００８７】
前記前面下側カバー５７０は、ディスプレイパネル１１０の下側縁部を覆うように前記カバー側壁５６４に結合されることによって、下部基板１１１の下側長辺の非表示領域に形成された複数のパッド部、及び複数のパッド部に連結されたパネル駆動部が外部に露出することを防止する。
【００８８】
図１０は、図９に示されたディスプレイ装置の変形例を説明するための図である。
【００８９】
図１０に示されたように、前述したカバー側壁５６４は、カバープレート５６２の端部から垂直に曲がることで、前述した収納空間を提供すると共に、前述したパネル保護部材１１９の側面を取り囲む。このとき、前記カバー側壁５６４の高さは、前記上部偏光フィルム１１７の上面の高さと同一に設定される。例えば、前記上部偏光フィルム１１７の上面と前記カバー側壁５６４の上面とは互いに同一平面上に位置することができる。また、前記カバー側壁５６４は、ディスプレイパネル１１０の側面を取り囲むように外部に露出し、その結果、前記カバー側壁５６４は、ディスプレイパネル１１０の縁（またはベゼル（ｂｅｚｅｌ））を形成する。
【００９０】
以上の実施例に係るディスプレイパネル及びディスプレイ装置は、液晶ディスプレイ装置を対象として主に説明したが、本発明の実施例に係るディスプレイパネル及びディスプレイ装置は、上述した液晶ディスプレイ装置に限定されるものではなく、有機発光ディスプレイ装置などのような様々な平板ディスプレイ装置であってもよい。例えば、有機発光ディスプレイ装置からなるディスプレイパネル及びディスプレイ装置は、上述した本発明でのような下部基板に有機発光素子を形成し、下部基板に接続されたパネル駆動部を通じて有機発光素子を駆動させて、下部基板または上部基板を介して外部に放出される光を用いて映像を表示するようになる。
【００９１】
以上で説明した本発明は、前述した実施例及び添付の図面に限定されるものではなく、本発明の技術的思想を逸脱しない範囲内で様々な置換、変形及び変更が可能であるということが、本発明の属する技術分野における通常の知識を有する者にとって明らかである。
【符号の説明】
【００９２】
１１０    ディスプレイパネル
１１１    下部基板
１１３    上部基板
１１５    下部偏光フィルム
１１７    上部偏光フィルム
１１９    パネル保護部材
１２０    バックライトユニット
１３０、５３０    ボトムカバー
１４０、５４０    ガイドパネル
１５０、５５０    パネル結合部材
１６０    保護パッド部材
１７０、５６０    背面カバー
【図１】
2014142612.tif 000003
【図３】
2014142612.tif 000004
【図４】
2014142612.tif 000005
【図５Ａ】
2014142612.tif 000006
【図５Ｂ】
2014142612.tif 000007
【図５Ｃ】
2014142612.tif 000008
【図５Ｄ】
2014142612.tif 000009
【図６】
2014142612.tif 000010
【図７】
2014142612.tif 000011
【図８】
2014142612.tif 000012
【図９】
2014142612.tif 000013
【図１０】
2014142612.tif 000014
【図２】
2014142612.tif 000015